(57)【特許請求の範囲】
【請求項１】
前面開口部と頂面開口部とを有するボックス本体、及び前記前面開口部と前記頂面開口部を閉鎖可能に開放する少なくとも一つの閉鎖部材を備え、
前記ボックス本体は、いずれもプラスチック材料からブロー成形によって成形された底面パネル、背面パネル、及び一対の側面パネルを含む複数の中空パネル部材によって分解可能に組み立てられており、
前記中空パネル部分の少なくとも一つは前記前面開口部に隣接する縁部を有し、
前記縁部には、前記閉鎖部材によって前記前面開口部と頂面開口部が開放されたときにボックス本体の形状安定性を保証するに充分な剛性を前記縁部に与える補強部材が設けられている収納庫であって、
前記側面パネルが前記前面開口部の縦縁に隣接する縁部を有し、前記補強部材が、前記側面パネルの前記縁部に沿って添設されたコーナー部材を含み、このコーナー部材はプラスチック材料からブロー成形によって湾曲横断面輪郭形状の中空部材に成形され、その底面に固定突起を備えたものであり、
前記底面パネルが前記固定突起を受け入れる嵌入孔を備え、前記補強部材は、前記嵌入孔に受け入れられた状態の前記固定突起を前記底面パネルに固定するボルトと、前記底面パネルの前縁部に付加的な剛性を与える金属補強バーとをさらに含み、前記固定突起が前記ボルトにより前記金属補強バーと前記底面パネルに固定されているもの。
【請求項２】
請求項１による収納庫であって、前記補強部材が、一方では前記コーナー部材に固定され且つ他方では前記固定突起と共に前記ボルトによって前記金属補強バーと前記底面パネルに固定される別の補強金具を含むもの。
【請求項３】
請求項１による収納庫であって、前記金属補強バーが前記底面パネルの下面で前記ボックス本体の幅方向に延在しており、前記コーナー部材と前記金属補強バーとの両者で力学的に連続した補強構造が形成されているもの。
【請求項４】
請求項３による収納庫であって、前記金属補強バーに取り付けられた複数のキャスターを更に備えたもの。
【請求項５】
請求項１による収納庫であって、前記閉鎖部材は前面開口部を閉鎖可能に開放する扉パネルと、頂面開口部を閉鎖可能に開放する蓋パネルとを含み、前記蓋パネルは、該蓋パネルの周囲から流れ落ちる水がボックス本体内部に回り込むのを阻止するために、前記蓋パネルの少なくとも前縁及び／又は両側縁に沿って延在してその下縁部がボックス本体の外周面より外側に位置している水切り垂下縁を備え、
前記蓋パネルの下面には、蓋パネル閉鎖状態にある際の雨水の浸入を阻止するために、蓋パネル両側縁の前記水切り垂下縁よりも内側に該垂下縁とほぼ平行に設けられた溝条と、該溝条に連通して蓋パネル後縁部に沿って設けられた溝条とを備え、前記蓋パネルを閉めたときにこれら溝条に対応して嵌合する凸条が両側面パネルおよび背面パネルの各上縁に設けられたもの。
【発明の詳細な説明】
技術分野
本発明は収納庫（Ｓｔｏｒａｇｅ  ｃｏｎｔａｉｎｅｒ）に関し、更に詳細には、例えば一時的なゴミの収容、ゴミの運搬、或いは一般家庭用途の工作・園芸用具の収納、更には業務用途の資材の収納／保管など、多様な目的で活用できる収納庫に関する。特に本発明は、ブロー成形、好適にはダブルウォールブロー成形によりプラスチック材料から成形された複数枚の中空パネル部材を用いて分解可能に組み立てられた収納庫に関するものである。
背景技術
ダブルウォールブロー成形によってプラスチック材料から成形された複数枚の中空パネル部材を用いた収納庫は既に知られている。収納庫は、前面開口部と頂面開口部とを有するボックス本体、及び前記前面開口部と前記頂面開口部を閉鎖可能に開放する少なくとも一つの閉鎖部材を備えている。パネル部材としては、ボックス本体を構成するための一枚の底面パネルと、一枚の背面パネルと、左右二枚の側面パネルと、場合によっては更に一枚以上の前面脇パネルとがある。また閉鎖部材も同様に中空部材で構成された扉パネルと蓋パネルを含んでいる。扉パネルと蓋パネルは互いに一体化された一部材の場合もあり、或いは両者が互いに独立した二部材の場合もある。これら各パネルはブロー成形によってダブルウォール構造に成形されており、従ってこれらパネルで組み立てられた収納庫は、単なるシングルウォール構造のパネルで組み立てられたものに比べて、軽量でありながら剛性が高く、耐衝撃性に優れた特徴を備えている。しかしながら、例えば高さ寸法が１ｍ程度或いはそれ以上に達する比較的大型の収納庫の場合は、扉パネルをヒンジで支持する側面パネル又は前面脇パネルは単独では扉パネルを支えるための剛性が不足しがちであり、その結果、扉パネルを開放した状態におけるボックス本体の形状安定性が損なわれる虞がある。この形状安定性を保証するに充分な剛性を確保するためには、両側面パネル間又は前面脇パネルとの間を上部の横梁で連結する必要がある。また、特に大型の収納庫では、使用に際して収納庫の風袋に収納物の重量を加えた総重量が大きくなるので、一般的には、使用中の収納庫の移動に配慮して、底面四隅に荷重受座が設けられ、この受座にキャスタが装着されていることが多い。こうした収納庫はユーザーの倉庫等の屋内、或いは軒下等の屋外に設置され、その内部に種々の物品を収容保管したり、或いは運搬に供するなど、種々の用途に利用される。
前述のように両側面パネル間又は前面脇パネル間を連結する横梁を備えた収納庫では、ゴミ等の物品の出し入れに際して横梁が邪魔になる。そこで、この横梁を取り去ってしまうと、側面パネルの特に前縁上部など、他のパネルとの固定点や連結点から離れた部分がぐらつき易く、使用期間が経過するにつれてボックス本体各部に変形が生じる。その結果、扉パネルの開閉動作に不具合が生じたり、或いは扉パネルの開け閉め時に作用するモーメントや内部収納物との接触力によって扉パネルと左右側面パネルとの固定点又は連結点に亀裂や破損が生じたりするなど、種々のトラブルが生じることになる。また同様の不具合や破損は、キャスタを利用して収納庫を移動中に障害物と衝突した際にも起きる可能性が高い。
発明の開示
本発明の主目的は上述のような従来技術の問題点を解消することにあり、更に具体的には、物品の出し入れを容易にするために閉鎖部材を開放したときに広い面積の開口を形成でき、しかも横梁がなくても充分な剛性を保証でき、従ってパネル相互の連結点又は固定点から離れたパネル部位がぐらつくことのない形状安定性を長期に渡って発揮することのできる収納庫を提供することにある。
この目的は、本発明によれば、前面開口部と頂面開口部とを有するボックス本体、及び前記前面開口部と前記頂面開口部を閉鎖可能に開放する少なくとも一つの閉鎖部材を備え、前記ボックス本体が、いずれもプラスチック材料からブロー成形、好ましくはダブルウォールブロー成形によって成形された底面パネル、背面パネル、及び一対の側面パネルを含む複数の中空パネル部材によって分解可能に組み立てられており、前記中空パネル部材の少なくとも一つは前記前面開口部に隣接する縁部を有し、前記縁部には、前記閉鎖部材によって前記前面開口部と頂面開口部が開放されたときにボックス本体の形状安定性を保証するに充分な剛性を前記縁部に与える補強部材が設けられている収納庫によって達成される。
本発明の好適な一態様によれば、前記閉鎖部材は専ら前記前面開口部を閉鎖可能に開放する扉パネルと、この扉パネルとは別に専ら前記頂面開口部を閉鎖可能に開放する蓋パネルとを含み、これら扉パネルと蓋パネルが、プラスチック材料からブロー成形、好ましくはダブルウォールブロー成形によって互いに独立した二つの中空パネル部材として成形されている。
本発明の別の好適な一態様によれば、前記閉鎖部材は前記前面開口部を閉鎖可能に開放する扉パネルと、この扉パネルと同時に前記頂面開口部を閉鎖可能に開放する蓋パネルとを含み、これら扉パネルと蓋パネルが、プラスチック材料からブロー成形、好ましくはダブルウォールブロー成形によって互いに一体化された一つの中空パネル部材として成形されている。
本発明の更に別の好適な一態様によれば、前記蓋パネルは、その周囲から流れ落ちる水がボックス本体内部に回り込むのを阻止するために、前記蓋パネルの少なくとも前縁及び／又は両側縁に沿って延在する水切り垂下縁を備えている。この水切り垂下縁の下縁部はボックス本体の外周面よりも外側に位置している。一つの実施態様では、水切り垂下縁は前記蓋パネルの前縁と両側縁とに亘って連続して延在する一つの垂下縁からなり、また別の変形態様では、この水切り垂下縁は前記蓋パネルの両側縁に沿ってそれぞれ延在する二つの垂下縁からなる。
本発明の更に別の好適な一態様によれば、前記側面パネルは前記前面開口部の縦縁に隣接する縁部を有し、前記補強部材は、前記側面パネルの前記縁部に沿って添設されたコーナー部材を含み、このコーナー部材がプラスチック材料からブロー成形、好ましくはダブルウォールブロー成形によって湾曲横断面輪郭形状の中空部材に成形されている。この場合、前記補強部材は、前記コーナー部材の内壁面に一体成形された水平方向の補強リブ、前記コーナー部材をそれに隣接する前記側面パネルの一つに固定する水平補強金具、及び／又は前記コーナー部材を前記底面パネルに固定する垂直補強金具を更に含むことができる。
本発明の更に別の好適な一態様によれば、前記コーナー部材はその底面に固定突起を備え、前記底面パネルは前記固定突起を受け入れる嵌入孔を備え、前記補強金具が、前記嵌入孔に受け入れられた状態の前記固定突起を前記底面パネルに固定するボルトを含んでいる。
本発明の更に別の好適な一態様によれば、前記補強部材は前記底面パネルの前縁部に付加的な剛性を与える金属補強バーを含み、前記固定突起が前記ボルトにより前記金属補強バーと前記底面パネルに固定されている。前記補強部材は、一方では前記コーナー部材に固定され且つ他方では前記固定突起と共に前記ボルトによって前記金属補強バーと前記底面パネルに固定される別の補強金具を含んでいる。金属補強バーは、前記底面パネルの下面で前記ボックス本体の幅方向に延在していることが好ましく、この場合、コーナー部材と金属補強バーとの両者で力学的に連続した補強構造を形成することができる。本発明による収納庫は、前記金属補強バーに取り付けられた複数のキャスターを更に備えることができる。
本発明の更に別の好適な一態様によれば、前記底面パネルは、前記閉鎖部材及び各中空パネル部材の各下端縁との間の間隙からボックス本体内への水の侵入を阻止するために、前記閉鎖部材及び各中空パネル部材の各内壁下端部と接する位置で底面パネルの全周に延在する環状突リブを備えている。
以上に述べた特徴により、本発明による収納庫では、扉を開放したときに広い面積の開口を形成でき、物品の出し入れを容易にすることができる。また、比較的大きいサイズのボックス構造とした場合でも、両側面パネル間または前面脇パネルとの間に横梁を設ける必要はなく、横梁が無くても充分な剛性を保証できる。従って、閉鎖部材を開放位置にした状態でパネル相互の連結点又は固定点から離れたパネル部位がぐらつくことがなく、高い形状安定性を長期に亘って発揮することができる。
本発明の上述以外の目的と特徴及び利点は、限定を意図しない目的で本発明の好適な実施例を示す添付図面を参照した以下の詳細な説明から一層明白である。
発明を実施するための最良の形態
先ず始めに、主に図１〜図４を参照して本発明の一実施例に係る収納庫を以下に説明する。図１に示す収納庫は、前面開口部と頂面開口部とを有するボックス本体１、前記前面開口部を閉鎖可能に開放する閉鎖部材６、及び前記頂面開口部を閉鎖可能に開放する蓋パネル７を備えている。前記ボックス本体１は、底面パネル２、背面パネル４、及び左右一対の側面パネル５，５を含む複数の中空パネル部材によって分解可能に組み立てられており、背面パネル４、側面パネル５，５、及び前記閉鎖部材６によって底面パネル２の外周部を取り囲む周壁３が構成されている。各側面パネル５，５は、本実施例では中空で平らな側面パネル５ａ，５ａからなる。この側面パネル５ａ，５ａの前縁部に、ボックス本体１の前面開口部と頂面開口部が開放されたときにボックス本体１の形状安定性を保証するに充分な剛性を与える補強部材、即ちコーナー部材５ｂ、５ｂがそれぞれ添設されている。これらの各中空パネル部材及びコーナー部材は、いずれも高密度ポリエチレンからブロー成形によって成形された剛性体であり、例えば側面パネル５ａについて図４に示すように、内部空間ｅを間にして内外二重の壁を形成した中空体の形態をとっている。また、各中空パネル部材には、パネル強度を高めるために面板部に平行な複数条の凹リブｕや内壁と外壁との筋状の融着部ｖが適当数分散して設けられている。尚、図４においてはパネル５ａの壁が単一層の構造で示されているが、本発明はこれに限定されるものではなく、二層以上の多層構造の壁であってもよい。
閉鎖部材６は、本実施例では二枚、即ち比較的幅の狭い向かって左側の扉パネル６ａと、比較的幅の広い向かって右側の扉パネル６ｂとからなる。左側の扉パネル６ａは左側の側面パネル５に近い方の側縁部でボックス本体１に枢支され、右側の扉パネル６ｂは右側の側面パネル５に近い方の側縁部でボックス本体１に枢支されており、両者でボックス本体１の前面開口部を開放可能に閉鎖する観音開きの扉を形成している。
蓋パネル７は、ボックス本体１の頂面開口部を開放可能に閉鎖しており、その外周輪郭形状は周壁３の外周輪郭形状よりも大きく、少なくともその前縁と左右両側縁によって周壁３の周囲に比較的狭い張り出し幅の庇部が形成されるようになっている。蓋パネル７は、この庇部の外縁部に後述する水切り垂下縁７６（図７）を備えている。
底面パネル２は上面の周縁部に環状の載置面２０を備え、周壁３を構成する各パネルの下端縁はこの載置面２０上に位置することになる。載置面２０の内側位置には周壁３を形成する各パネルの各内壁下端部と接するように全周に途切れなく延在する環状突リブ２２０が設けられており、扉パネルを含む各周壁用パネルの各下端縁と載置面２０との間の間隙を介して外部からボックス本体１内へ侵入しようとする雨等の水を突リブ２２０で阻止するようになっている。この突リブ２２０は、ボックス本体１の外側へ向かう下降傾斜面で置き換えてもよい。
突リブ２２０の内側では、底面パネル２の内底面が奥行き方向のほぼ中央部で幅方向に延在する導水溝２１を最深部として緩い傾斜面を形成しており、導水溝２１には外部に連通する水抜き孔２２が設けられ、この水抜き孔２２は必要に応じて栓で塞ぐことができるようになっている。
載置面２０には、周壁３を形成する各中空パネル部材を固定又は位置決めするために、突出した傾斜面を有する複数の連結部２３と複数の位置決め溝２４とが背面パネル４又は側面パネル５，５の配置領域に一体成形され、また扉パネル６ａ，６ｂの配置領域には左右の嵌入孔２５，２５と、戸当たりストッパ２６と、ロック用の突起２７が一体成形されている。底面パネル２の下面側には逆Ｕ字切欠部２８が嵌入孔２５に対応する位置で左右に設けられている。また底面パネル２の下面には、奥行き方向に離れた二カ所でそれぞれ幅方向に延在するように二本の金属補強バー３１（図示の例では溝形チャンネルバー）が固定されており、これらのチャンネルバーの下面にはそれぞれ左右のキャスター３２，３２が取り付けられている。特に、底面パネル２の前縁部下面に添設されている一方のチャンネルバー３１は、この底面パネル２の前縁部に付加的な剛性を付与するための補強部材としても機能している。尚、底面パネル２の下面には、チャンネルバー３１，３１の取付用に幅方向に延在する二条の差込溝３３，３３が設けられており、これら差込溝に差し込まれたチャンネルバーがボックス本体内に貫通する複数本のボルトによりキャスター３２と共に底面パネル２に固定される。
各コーナー部材５ｂ，５ｂの下端には固定片５１が下向きに突設されており、この固定片５１は載置面２０に設けられている嵌入孔２５に完全に挿入されると底面パネル２の下面から突き出て前記チャンネルバー３１の前面に隣接するようになっている。底面パネル２に設けられている逆Ｕ字状切欠部２８から差し込まれたボルト２９は固定片５１及びチャンネルバー３１を貫通し、チャンネルバー３１の溝内でナットにより締め付けられる。これにより、コーナー部材５ｂ，５ｂが下端部でチャンネルバー３１に堅固に固定され、両コーナー部材５ｂ，５ｂとチャンネルバー３１とによって力学的に連続した逆門形の補強構造が形成されている。この補強構造は、扉パネル６ａ，６ｂ及び蓋パネル７が開かれている状態におけるボックス本体１の形状安定性を保証し、それにより扉パネル６ａ，６ｂのヒンジによる開閉も円滑となる。後述するように、本発明の好適な態様によれば、前記コーナー部材５ｂ，５ｂの下端部はこのチャンネルバー３１に補強金具３４（図９ｂ）によって更に堅固に固定される。このような補強構造により、ボックス本体１の前面開口部と頂面開口部が開放されたときにボックス本体の形状安定性が更に確実に保証される。また、必要に応じてチャンネルバー相互間に溶接された連結補強金属バーを設けて補強性能を更に高めてもよい。
図１には、組み立てられた状態のボックス本体１の裏側に隠れている背面パネル４が同図右側部分にその内壁面側を手前に向けて別に示されている。背面パネル４の上縁には、それぞれ一対の軸受部の間で予め定められた高さ位置に支承された複数の支軸４１，４１が一列に配列固定されている。また、背面パネル４の内壁面には、ほぼ中段位置に水平方向に一列に配列された複数の棚受け４２が突設され、下縁部には底面パネル２との三つの連結部４３が設けられ、左右側縁近傍位置には側面パネル５，５との三つずつの連結部４４及び二つずつの位置決め溝４５がそれぞれ設けられている。三つの連結部４３は前述の底面パネル２の後縁側の載置面２０に設けられている三つの連結部２３に対応し、これら連結部２３と４３とで底面パネル２上に背面パネル４を直角に立てた姿勢で連結する後述の連結機構Ｃｖを構成する。図１では隠れて見えないが、背面パネル４の下端面には底面パネル２の各位置決め溝２４に対応する複数の位置決め突条４６（図５）が設けられている。尚、背面パネル４の内壁面には、棚受け４２の上下の領域に前述の凹リブｕ及び融着部ｖが複数条形成されている。
前述のように、周壁３の左右側面壁を形成する各側面パネル５は、本実施例では左右共用可能な平板状の側面パネル５ａ，５ａからなり、この平板状の側面パネル５ａ，５ａの前縁部に補強部材としてのコーナー部材５ｂ，５ｂがそれぞれ添設されている。コーナー部材５ｂ，５ｂは、横断面外形輪郭がほぼ９０度の角度範囲に亘って丸く湾曲した中空部材であり、左右のコーナー部材は互いに左右対称構造である。これら左右のコーナー部材５ｂ、５ｂは、平らな側面パネル５ａ，５ａの前縁部からボックス本体１の前面開口部を含む平面へ向かって連続的に滑らかに湾曲した横断面輪郭形状をそれぞれ形成している。前面開口部に臨む各コーナー部材５ｂ，５ｂの縦縁には、左右の扉パネル６ａ，６ｂを枢支するためのヒンジ受け５０，５０が設けられている。また、各コーナー部材５ｂ，５ｂの下端面には、底面パネル２の位置決め溝２４に嵌合する弧状の突起（図示しない）及び嵌入孔２５に嵌合する固定片５１が突設されている。尚、少なくとも一方の側面パネル５ａ（本実施例では右側の側面パネル）の外壁面には、ボックス本体１を移動させる際にユーザの手で握られるグリップバー５ｄが取り付けられている。
図２に側面パネル５ａ，５ａとして用いられる中空パネル部材の設計的な表裏面の構成が中央線の左右に半分ずつ示されている。また、図３にはその平面図が、図４には図２のＩＶ−ＩＶ矢視部分断面図がそれぞれ若干拡大された縮尺で示されている。図２〜４において、この中空パネル部材は上端面に二つの突出部５２，５２を備え、これら突出部の間には内部空間ｅに通じるスリット５２ａが設けられている。このスリット５２ａは、本実施例では、特に右側の側面パネルに関して、後述のステイ７５の揺動を案内する機能を果たす。この中空パネル部材の下端面には底面パネル２の連結部２３に取り付けられる連結部５３と位置決め溝２４に嵌合する突条５８が設けられている。更に該中空パネル部材の各側縁の端面には、互いに間隔をあけて三つの連結部５４とそれらの間に位置する二つの突条５８がそれぞれ設けられており、これらの連結部５４と突条５８は、関連する背面パネル４又はコーナー部材５ｂ，５ｂの各側縁に対応して設けられている連結部及び位置決め溝とそれぞれ協動し、両者間の堅固な連結に寄与する。また、先に述べた通り、本実施例では右側の側面パネルの外壁面にグリップバー５ｄが取り付けられている。この目的で、図２に示すように該中空パネル部材にはグリップバー５ｄの固定のための取付座５５が一体成形されている。また、この中空パネル部材の内壁面には、あたかもワインボトルのプロフィールに似たほぼ左右対称形状の凹部５６が中央線上に整列されて形成されている。この凹部５６は、図２及び図４に示すように対応する輪郭形状の凸部５６ｂを中空パネル部材の内部空間ｅ内に形成しており、この凸部５６ｂのネック部の括れ箇所に相当する内部空間ｅ内の位置には、後述のステイ７５の下端折曲部７５ｂを受入可能なポケット５６ａが中央線に関してほぼ左右対称にそれぞれ形成されている。更に該中空パネル部材の裏面（ボックス本体１の内壁面を形成する面）にはボックス本体１内に突出する複数の棚受け５７が形成されており、勿論、この棚受け５７は背面パネル４の棚受け４２と対応する高さ位置に配置されている。
ボックス本体１を構成するための各パネル間又はパネルとコーナー部材間の連結機構は、底面パネル２の三辺における載置面２０上に設けられた連結部２３と背面パネル４及び各側面パネル５ａ，５ａの各下端面に設けられた連結部４３，５３との間で形成される連結機構Ｃｖ（図５）と、背面パネル４の左右の側縁に設けられた連結部４４と各側面パネル５ａ，５ａの各一方の側縁に設けられた連結部５４との間及び各側面パネル５ａ，５ａの各他方の側縁に設けられた連結部５４と各コーナー部材５ｂの各一方の側縁に設けられた対応する連結部（図示しない）との間でそれぞれ形成される連結機構Ｃｈ（図６ａ，ｂ）とを含んでいる。これらの連結機構を構成する各連結部は互いに連携する相手と対応する位置関係に設けられており、また各連結部の近傍には協動して正確な連結の達成に寄与する一つ以上の位置決め用の突条４６，５８又は溝２４，４５が設けられている。
連結機構Ｃｖの例として図５は底面パネル２と背面パネル４又は側面パネル５ａ，５ａとの連結時の様子を示している。底面パネル２の全ての連結部２３の連結面２３ａ、背面パネル４の下端面に位置する連結部４３の連結面４３ａ、及び各側面パネル５ａ，５ａの下端面に位置する連結部５３の連結面５３ａは、いずれも底面パネル２の設置基準面である水平面に対して傾斜面を形成している。これらの傾斜面は、ボックス本体１の内部から外部へ向かって下り傾斜しており、その水平面との間になす傾斜角θはほぼ３０度である。また、底面パネル２と背面パネル４には、それらの連結面２３ａ，４３ａの背部に外側に開放されたキャビティが設けられており、これらのキャビティは、後述するように連結用ボルト・ナットの締め付けに際して外部から工具をアクセス可能としている。
連結機構Ｃｈの例として図６（ａ）は背面パネル４と左側の側面パネル５ａとの連結時の様子を、また図６（ｂ）は側面パネル５ａとコーナー部材５ｂとの連結時の様子を示している。背面パネル４の左右側縁に位置する連結部４４の連結面４４ａは背面パネル４の主壁面に対してほぼ３０度の傾斜角θで傾斜しており、この傾斜角に対応して、各側面パネル５ａの各一方の側縁に位置する連携する連結部５４の連結面５４ａも、側面パネル５ａが背面パネル４に対して直交して連結されるように傾斜面を形成している。同様の傾斜連結面は側面パネル５ａの各他方の側縁に位置する連結部５４の連結面５４ａと各コーナー部材５ｂの各一方の側縁に位置する連結部５４の連結面５４ｂにも適用されており、この場合、側面パネル５ａの主壁面に対して各連結面５４ａがなす傾斜角は９０−θである。尚、各連結面４４ａ，５４ａ，５４ｂの背部にも工具のアクセスのために外側に開放されたキャビティが形成されていることは前述図５の場合と同様である。
図１に示したように、ボックス本体１の前面開口部に取り付けられる閉鎖部材６は、比較的幅の狭い左扉パネル６ａと、比較的幅の広い右扉パネル６ｂとを含んでいる。但し、図１においてボックス本体１から離れた位置に部品として別に示されている左扉パネル６ａは部分的に省略された図法で示されている。扉パネル６ａと６ｂは、左右の側面パネル５ａ，５ａの側縁に連結されているコーナー部材５ｂ，５ｂにヒンジで枢支される。この目的で、一方では各コーナー部材５ｂ、５ｂの前縁にヒンジ受け５０が一体成形されており、他方では扉パネル６ａ，６ｂの各一方の側縁にヒンジピン６０がそれぞれ設けられている。ヒンジピン６０はヒンジ受け５０に回動可能に挿入されてヒンジを形成し、従って両方の扉パネル６ａ，６ｂはヒンジによる枢動で左右に開き或いは閉鎖可能である。左扉パネル６ａとの邂逅部において右扉パネル６ｂにはドアノブ６１が設けられており、このノブの右側（左扉パネルから遠い側）の縁部には、ユーザーの栂指を除く４指を受け入れるに適した例えば楕円形開口をもつキャビティが形成されている。このノブ６１に対応する位置において左扉パネル６ａには凹部６２が設けられ、ノブ６１を掴んだユーザーの栂指を受け入れ得るようにしてある。
図１に示した実施例では、ボックス本体１の頂面開口部を覆う蓋パネル７は、幅方向に延在する盛り上がった棟部を含む天蓋形状を有している。図７はボックス本体１の右側面から見た蓋パネル７の側面図であり、この図はまた要部の断面構造も示している。蓋パネル７は、その後縁の下面側に三カ所の半円状のスラスト軸受７１を備え、これらの軸受に、背面パネル４の上端面に設けられている三つの支軸４１がそれぞれ受け入れられる。各軸受７１には、半円を補完するような弧状部を有する軸受金属板７２が固定され、以て軸受７１と金属板７２で周囲を囲まれた支軸４１の円滑な回動が保証されている。これによりユーザーは支軸４１を回動軸として背面パネル４に対して蓋パネル７を開閉可能である。この目的で、蓋パネル７の前縁部下面にはユーザーが指を掛けるための凹部７３が適所に設けられている。
蓋パネル７は、その前縁及び両側縁に水切り垂下縁７６を備えている。この水切り垂下縁７６は、蓋パネル７の前縁及び両側縁７０に亘って好ましくは連続して延在している。この水切り垂下縁７６は、蓋パネル７の周囲から流れ落ちる雨などの水がボックス本体１の内部に回り込むのを阻止する。本実施例において、この水切り垂下縁７６は蓋パネル７の前縁と両側縁とに亘って連続して延在する一つの垂下縁である。但し、後述するように、別の変形態様ではこの水切り垂下縁は蓋パネルの下面部における両側縁に沿ってそれぞれ延在する二つの垂下縁からなる。尚、図示しないが、蓋パネル７の両側縁７０には上記垂下縁よりも内側の下面に垂下縁とほぼ平行な溝条を設けることができ、また、これら溝条を、蓋パネル７の後縁部に沿って前記軸受７１よりも内側の下面に設けられた同様の溝条に連通させることができる。これらの溝条は、蓋パネルを閉めたときに、両側面パネル５ａ，５ａ及び背面パネル４の各上縁に設けられた対応する凸条に嵌合され、以て蓋パネルが閉鎖状態にある際の雨水の浸入を阻止する働きをする。
更に、蓋パネル７は、少なくとも一方の側縁、本実施例では右側縁近傍部位に貫通孔付きのボス部７４を備えている。このボス部７４は、蓋パネル７のブロー成形時に同時に一体成形可能である。ボス部７４には、図１、そして更に詳細には図８に示すように、ステンレス鋼製のステイ７５の上端部の折曲部７５ａが差し込まれる。ステイ７５は更に下端部にも折曲部７５ｂを有し、上端部の折曲部７５ａと下端部の折曲部７５ｂとは互いに長さが異なっている。長い方の折曲部７５ａは、ボックス本体１に取り付けられた状態の蓋パネル７のボス部７４の貫通孔に抜け出し不能に遊嵌されている。また、短い方の折曲部７５ｂは、右側の側面パネル５ａの上端面に設けられているスリット５２ａから該側面パネルの内部空間ｅに挿入されている。このように、ステイ７５は、その上端の折曲部７５ａによってボス部７４に回動自在に吊持されている。
既に図２に関連して述べたように、側面パネル５ａの内壁面には、内部空間ｅ内へ向けてワインボトル状のプロフィールの凹部５６が形成されており、この凹部５６のネック部の括れ箇所に相当する内部空間ｅ内の位置には、ステイ７５の下端折曲部７５ｂを受入可能なポケット５６ａが形成されている。蓋パネル７がボックス本体１の頂面開口部を閉鎖しているときには、図８の右側に示されているように、ステイ７５の下端の折曲部７５ｂがポケット５６ａから外れており、従ってステイ７５が側面パネル５ａの内部空間ｅ内で揺動可能に垂下した状態にある。蓋パネル７がその前縁をユーザーによって持ち上げられて支軸４１回りに開放方向へ回動されると、この回動につれてステイ７５も上昇して下端部の折曲部７５ｂがポケット５６ａ内に進入する。この状態でユーザーは蓋パネル７から手を離すことができ、このときステイ７５の下端部の折曲部７５ｂはポケット５６ａ内で側面パネル５ａによって支承されるので、蓋パネル７はステイ７５によって開放状態に保たれることになる。蓋パネル７を閉じる際には、蓋パネル７を僅かに開放方向へ起こした状態でユーザーがステイ７５を手前（ボックス本体の前面方向）へ回動させると、下端部の折曲部７５ｂがポケット５６ａから外れるので、そのまま蓋パネル７を閉じればよい。
尚、以上の説明では、右側の扉パネル６ｂを左側の扉パネル６ａよりも幅広に形成した場合を例示したが、扉パネルの幅寸法は左右逆にしてもよく、或いは両扉パネルの幅寸法を互いに等しくしてもよい。また、側面パネルは平らな側面パネル５ａと湾曲形状のコーナー部材５ｂとの二部材で構成した場合を例示したが、これらはブロー成形で一体に構成することもできる。更に、グリップバー５ｄとステイ７５を右側の側面パネルに取り付けた場合を説明したが、左右の何れか或いは両方の側面パネルに設けてもよく、ステイ上端部の折曲部７５ａをリング形状に代えて蓋パネルに成形された支持軸から吊り下げるようにしてもよい。
本実施例の収納庫は、各部品が分解状態のままユーザーに手渡すことができ、ユーザーが自分で組立ることが可能である。その場合の組立手順の一例を以下に説明する。
（１）先ず、底面パネル２の下面に二本のチャンネルバー３１と四つのキャスター３２を取り付ける。組立テーブル或いは床面等の安定な平面の上に、底面パネル２をその下面を上に向けて（裏返しに）にして載せる。底面パネル２の下面に幅方向に亘って前後二カ所に設けられた平行な差込溝３３に、それぞれチャンネルバー３１を挿入する。チャンネルバー３１の溝内面にキャスター３２の角形の取付部を嵌め込み、底面パネル２の上面（今や裏面側となっている）側から各４本のボルトを底面パネル２とチャンネルバー３１及びキャスター取付部に貫通させ、底面パネル２の上面（今や表面側となっている）でこれらをナットにより締め付ける。これによりキャスター３２とチャンネルバー３１が底面パネル２に堅固に固定される。四カ所のキャスター３２における同様の作業を完了したら、底面パネル２を表替えしにする。
（２）表替えしされた底面パネルが図１に示されている。底面パネル２の両側面及び背面側の三辺における載置面２０に背面パネル４と左右の側面パネル５ａ，５ａを立て掛け、載置面２０の溝２４に各パネルの突条４６又は５８合わせて位置決めする。図５は、このときの状態を示している。パネル間の連結は、先ず始めに連結機構Ｃｖから行う。即ち、図５に示すように、底面パネル２に対する背面パネル４及び側面パネル５ａ，５ａの連結が先である。この場合、各パネル間の対面する連結面２３ａ，４３ａ，５３ａをそれぞれ合わせ、両者間をボルト・ナットで締め付けて連結する。これにより、背面パネル４と左右の側面パネル５ａ，５ａが底面パネル２の載置面２０上に縦向きに固定される。その後、左右のコーナー部材５ｂ，５ｂを底面パネル２に固定する。この場合、各コーナー部材５ｂ，５ｂの下端の固定片５１を載置面２０に設けられている嵌入孔２５に完全に挿入し、底面パネル２に設けられている逆Ｕ字状切欠部２８からボルト２９を固定片５１及びチャンネルバー３１に貫通させ、チャンネルバー３１の溝内でナットによりこれらを締め付けて堅固に固定する。尚、これらの連結作業に際して、ボルト・ナットの締め付けはボックス本体の外側からの工具のアクセスだけで可能である。また、連結面同士の締め付け固定にワッシャーやシールリングを併用することは好ましいことである。
（３）次に、周壁３を構成する各部材、即ち、背面パネル４、両側面パネル５ａ，５ａ、及び両コーナー部材５ｂ，５ｂ間の連結機構Ｃｈの連結を行う。上記の仮組み付け工程（２）の結果、各側面パネル５ａの左右側縁の各連結面５４ａは、図６ａ，ｂに示すようにそれぞれ背面パネル４の連結面４４ａとコーナー部材５ｂの連結面５４ｂに適正に向い合っている。これらの向かい合った連結面同士を図５の場合と同様にボルト・ナットで締め付ける。尚、この場合も、連結面同士の締め付け固定にワッシャーやシールリングを併用することは好ましいことである。また、ボルトとして頭部にリングを有するリング付ボルトを用いれば、ボックス本体の外表面に掃除道具等を吊すことができて便利である。
（４）次に、蓋パネル７の後縁部の各軸受７１を背面パネル４の各支軸４１に合わせ、各軸受７１にそれぞれ軸受金属板７２を被せ、各軸受金属板７２を蓋パネル７に木ネジで固定する。これにより各支軸４１が各軸受７１と各軸受金属板７２との両円弧部で軸受けされ、蓋パネル７が背面パネル４の上縁部に開閉可能に取り付けられる。
（５）最後に、扉パネル６ａ、６ｂの各ヒンジピン６０を左右のコーナー部材５ｂ，５ｂの各ヒンジ受け５０に嵌め、左右の扉パネル６ａ、６ｂをボックス本体１の前面開口部に取り付ける。尚、扉パネル６ａ，６ｂには、底面パネル２との間で動作するマグネットラッチなどの閉鎖保持具や鎖錠具等が付設されているが、それらに関する詳しい説明は省略する。
組み立て上がった収納庫は、通常は前述のように倉庫やガレージなどの屋内或いは庭や家屋の軒下等の屋外に置かれて使用される。収納庫の内部に収容する物品は本発明では限定するものではなく、それは例えばゴミ、自動車タイヤやバッテリー、或るいは大工道具や園芸用品など、ユーザーが様々に選ぶことができる。本発明による収納庫は、様々な物品を収容保管するのみならず、グリップバー５ｄを掴んでキャスター３２により移動させることもできる。移動に際して、キャスター３２は底面パネル２の下面に配置された補強チャンネルバー３１にボルト締めされているので、キャスターの取付部の耐久性は良好である。
収納庫内部に対する物品の出し入れに際して、比較的小さな物品の出し入れの場合はドアノブ６１を手前に引いて右扉パネル６ｂだけを開き、また、少し大きい物品の場合は右扉パネル６ｂに加えて左扉パネル６ａも開く。更に蓋パネル７も開けば前面開口部と頂面開口部が共に全開状態に開放できるので、例えば箱状の物品をボックス本体１の内部に整然と積み重ねて収容することが容易となる。また、例えばゴミなどを収容した場合はボックス本体１内に汚水が漏れることがあるが、その場合はゴミの排出後に底面パネル２の水抜き栓２２を抜いて汚水を排出し、内部を水で隅々まで清掃することができる。
特に収納庫をゴミコンテナとして利用する場合、ボックス内に相当量のゴミが収容されて或る高さを越えているときは、扉パネル６ａ，６ｂを開けると内部のゴミが前面開口部から外部にこぼれ出すことがある。このような場合、扉パネルを開けずに蓋パネル７の凹所７３に指を掛けて前端側を持ち上げる。このとき、蓋パネル７のボス部７４からほぼ垂直に垂下しているステイ７５が蓋パネル７の開放方向への回動につれて図８に矢印Ａで示す方向へスイング動作を行い、それに追従して下端部の折曲部７５ｂが斜め上方向に移動する。この動きによって下端部の折曲部７５ｂは内部空間ｅ内で突起しているワインボトル状の凸部５６ｂの内側面上を滑りながら移動する。即ち、凸部５６ｂの側面がカム面となり、折曲部７５ｂがこのカム面で規制された運動のもとに移動する。それによって蓋パネル７の開放方向への回動に伴ってステイ７５が傾きを増し、折曲部７５ｂが図８に矢印ａで示すようにポケット５６ａ内に入り込むことになる。本実施例では、蓋パネル７の開き角度がほぼ６０度を越えたときに折曲部７５ｂがポケット５６ａ内に入り込むようにステイの長さが定められている。
このようにしてポケット５６ａに折曲部７５ｂが係留された状態で蓋パネル７からてを離すと、蓋パネル７の自重はステイ７５によってポケット７５ｂ、即ち側面パネル５ａに支承され、蓋パネル７を開放状態に保つことができる。ステイ７５で開放状態に保たれている蓋パネル７と閉鎖状態の扉パネル６との隙間を利用して頂面開口部から収納庫内に更にゴミを投入することができる。投入後、僅かに蓋パネル７の前縁を持ち上げてから、ステイ７５を逆方向に手で引き戻して折曲部７５ｂをポケット５６ａから外せば、そのまま蓋パネル７を静かに下げて頂面開口部を再び閉じることができる。このように、蓋パネル７のボス部７４に吊持されたステイ７５と、側面パネル５ａの内部空間ｅ内に形成されたポケット５６ａとを利用して蓋パネル７の開放状態を自動的にロックするための単純な機構が構成されている。ステイ７５は側面パネル５ａの内部空間ｅ内に垂下しているので、蓋パネル７が閉じている状態では外部から触れることができず、従って不用意に外力が加えられて折れ曲がる可能性は低く、また収納庫の外観の見栄え損なうこともない。
本実施例では、左右の側面パネル５ａ，５ａとして、互いに同一寸法及び同一構造の２枚の中空パネル部材（図２）を用いており、左右の側面パネルを共通のブロー成形金型で成形してコストの低減を図っている。この側面パネル５ａ，５ａと扉パネル６ｂは、本実施例に示したものとは幅寸法の異なる底面パネル、背面パネル及び蓋パネル、場合によっては付加的な前面脇パネルと組み合わせると、種々の幅寸法の比較的大又は小容積の収納庫を構成する共通部品として使用可能である。例えば、本実施例のものと同一構成の左右の側面パネル５ａ，５ａと扉パネル６ｂを用いて、同高で奥行きが等しく内容積の比較的小さな片開き式の収納庫が構成できる。この場合、底面パネル、背面パネル、蓋パネル、チャンネルバー３１等は寸法が比較的短いが、各部の構造は前述と同様である。また左側のコーナー部材５ｂはヒンジ受け５０の代わりにドアノブ用の凹部６２を有するものに変更される。また、ステイ７５やキャスター３２等の付属部品及び付属組立用工具類も共通化される。
本発明による収納庫では、特にボックス本体の各部材がその固定点や連結点から離れた箇所でぐらつくのを防止するために両側面パネルや底面パネルの特定の部分が高い剛性を示すように構成されている。図９ａ〜９ｄに本発明の幾つかの変形態様を模式的に示す。
図９ａは、コーナー部材５ｂの内側コーナー部の上縁に内壁面と一体に成形された水平方向の補強リブ５９を示している。この補強リブ５９は本発明で言う補強部材の一部を構成するものである。補強リブ５９は、上記内側コーナー部の下縁或いは中間高さ位置にも設けることができ、いずれもコーナー部材５ｂ自体の剛性の増加をもたらす。このようなコーナー部材を利用した収納庫は、扉パネル及び／又は蓋パネルを開いた状態において高い形状安定性を示す。
図９ｂは、コーナー部材５ｂと底面パネル２との間の固定構造を真直な板状の補強金具３４により補強している様子を示している。この補強金具も本発明で言う補強部材の一部を構成するものである。補強金具３４は、一方では上部でコーナー部材５ｂの内壁面に固定され、他方では下部で底面パネル２の嵌入孔２５を貫通し、同様に嵌入孔２５を貫通した固定片５１と共にチャンネルバー３２にボルト２９（図１）で締着されている。この補強金具３４はその一方の面から突き出たリブ（図示しない）を有し、このリブは、金具３４の下端部がボルト・ナットによってチャンネルバー３２に締め付けられた時に底面パネル２の嵌入孔２５の内壁面に食い込み、それによって金具３４が倒れ方向にも高い抵抗力を示すようになっている。また、補強金具３４の上部はコーナー部材５ｂの内壁面側にネジなどによって固定され、外部からは隠蔽される。
図９ｃは、側面パネル５ａとコーナー部材５ｂとの連結を補強する水平補強金具３５及びコーナー部材５ｂと底面パネル２との連結を補強する垂直補強金具３６とを示している。これらの金具３５，３６も本発明で言う補強部材の一部を構成するものである。金具３５はＪ字形状の水平取り付け用補強金具であり、側面パネル５ａとコーナー部材５ｂとに亘ってネジで固定され、主にこれら部材の上部の連結強度（水平面内での変形に対する強度）を高めている。もう一つの金具３６はＬ字形の垂直取り付け用補強金具であり、コーナー部材５ｂの内壁面に高さ方向の上部にまで延在するようにネジで固定され、主にコーナー部材の長手軸の曲げ強度を高めている。
図９ｄは、底面パネル２の面変形強度を高めるための補強金具３７の使用を示している。この補強金具３７も本発明で言う補強部材の一部を構成するものである。補強金具３７は、底面パネル２の下面に固定される補強金具であり、予めＨ字状配置に溶接された一体金具である。この補強金具３７を底面パネル２に取り付けておくことにより、例えば収納庫の移動中に障害物との衝突で生じる衝撃に対して底面パネル２の強度を増すことができる。尚、図９ｄでは、収納庫は図１に示した例に比べて幅広のものであり、ボックス本体１の前面左右にはコーナー部材に代えて左右の側面パネル５に連接した二枚の前面脇パネル８，８が取り付けられており、これらの前面脇パネル８，８の下縁部は底面パネル２に固定されている。また、左右の前面脇パネル８，８の間に形成されている前面開口部は、右側の前面脇パネル８にヒンジで支承された一枚の扉パネル６によって閉鎖される。更に蓋パネル７には、その前縁及び両側縁の各下面部に亘って水切り垂下縁７６が設けられている。これらの前面脇パネル８．８、扉パネル６及び蓋パネル７も前述の各パネルと同様のダブルウォール構造のブロー成型品である。
図１０ａ〜１０ｃは、本発明の更に別の変形例として代表的な三つの収納庫の構成を模式的に示している。
図１０ａに示す変形例による収納庫では、ボックス本体１の頂面開口部を前面側へ斜めにシフトさせた位置に設け、頂面の奥の部分を固定天蓋で閉めきってある。左右の側面パネル５，５は前面側上部の角隅部を切り落とした変形五角形の中空パネル部材で構成されている。これらの側面パネル５の切り落とし部に対応する頂面開口部は蓋パネル７で開放可能に閉じられている。扉パネル６ａ，６ｂは左右の側面パネル５，５の前縁部のヒンジ受け５０によって枢支され、前面開口部を観音開き式に閉鎖する。
図１０ｂに示す変形例による収納庫では、扉パネル６と蓋パネル７が一体化されている。このような一体化パネル６，７はブロー成形により単一の中空体として成形可能である。この中空体の蓋パネル部分７は閉じた状態では左右の側面パネル５，５より僅かに外側に張り出すような幅寸法を有し、これらの張り出した部分の下面には左右側縁で別々の水切り垂下縁７６ａ，７６ｂが設けられている。
図１０ｃに示す変形例による収納庫は、左右の前面脇パネル８，８を備えた比較的幅広の外形を有している。左右の前面脇パネル８，８の互いに向かい合った端縁部に扉パネル５ａ，５ｂがヒンジ受け５０で枢支されている。
尚、図１０ａ又は１０ｃに示したヒンジ受け５０の部分や、図１０ｂに示した左右の側面パネル５，５の前縁上部角隅部ｆ付近の「ぐらつき」を更に確実に防止するように、いずれの変形例においても図９ａ〜９ｃに示したような補強構造を適用することが好ましいのは述べるまでもない。
図１０ｄは、図１０ｃにおける右側の前面脇パネル８と右扉パネル６ｂとのヒンジ連結部の変形例を模式的に示した部分平面図である。前面脇パネル８の先端部にボックス本体１の内部へ向かって湾曲した横断面外形輪郭のコーナー部材５ｂが介装され、前面脇パネル８の剛性を高めている。このコーナー部材５ｂは本発明で言う補強部材の一部を構成するものであり、またブロー成形によって前面脇パネル８と一体に成形することもできる。
本発明は以上に述べた各実施例及び変形例に限定されるものではなく、当業者に自明の更なる変形は本発明の範疇に属するものであることは述べるまでもない。
【図面の簡単な説明】
図１は、本発明の第１実施例に係る収納庫をその一部の構成部品と共に示す斜視図である。
図２は、側面パネルの両半裁正面図であり、その中央線から左半分は該側面パネルの内壁面を、右半分は同じく外壁面を示す。
図３は、側面パネルの平面図である。
図４は、図２のＩＶ−ＩＶ部分拡大断面図である。
図５は、底面パネルに対する背面パネル又は側面パネルの連結部を示す拡大部分断面図である。
図６ａは背面パネルと側面パネルとの連結部を示す拡大部分断面図、図６ｂは側面パネルとコーナー部材との連結部を示す拡大部分断面図である。
図７は、蓋パネルを部分的に断面で示した右側面図である。
図８は、蓋パネルを或る開放角度で開放状態に保持するためのステイのロック動作を示す説明図である。
図９ａは変形例に係るコーナー部材の要部を示す斜視図、図９ｂは別の変形例に係るコーナー部材と底面パネルとの補強連結部を示す斜視図、図９ｃは更に別の変形例に係る側面パネルとコーナー部材との補強連結部を示す斜視図、図９ｄは本発明の別の実施例に係る収納庫の全体構成を模式的に示す斜視図である。
図１０ａ〜ｃは幾つかの変形例に係る収納庫の全体構成を模式的に示す斜視図、図１０ｄは図１０ｃの変形例における前面脇パネルと扉パネルとのヒンジ連結部を示す部分平面図である。
【図１】
0003960599.tif 000002
【図２】
0003960599.tif 000003
【図３】
0003960599.tif 000004
【図５】
0003960599.tif 000005
【図４】
0003960599.tif 000006
【図６ａ】
0003960599.tif 000007
【図６ｂ】
0003960599.tif 000008
【図７】
0003960599.tif 000009
【図８】
0003960599.tif 000010
【図９ａ】
0003960599.tif 000011
【図９ｂ】
0003960599.tif 000012
【図９ｃ】
0003960599.tif 000013
【図９ｄ】
0003960599.tif 000014
【図１０ａ】
0003960599.tif 000015
【図１０ｂ】
0003960599.tif 000016
【図１０ｃ】
0003960599.tif 000017
【図１０ｄ】
0003960599.tif 000018